(57)【要約】【課題】ユーザに過不足となる栄養素に基づき、健康状態を向上させる上で摂取すべき最適な摂取物を探索することが可能な摂取物探索システム、摂取物探索方法、及び摂取物探索プログラムを提供する。【解決手段】入力されたユーザ情報に対応する栄養素の量を集計する集計手段と、上記栄養素の理想値を取得する理想値取得手段と、上記集計手段により集計された上記栄養素の集計値と、上記理想値取得手段により取得された上記栄養素の理想値との乖離傾向を分析する分析手段と、上記乖離傾向と補充すべき摂取物の種類との３段階以上の連関度を有する連関性が予め記憶されている連関摂取物データベースと、上記連関摂取物データベースに記憶されている連関性を参照し、上記乖離傾向に基づき、１以上の摂取物を探索する探索手段とを備えることを特徴とする。【選択図】図１
2018067177.tif 000002
【特許請求の範囲】
【請求項１】
入力されたユーザ情報に対応する栄養素の量を集計する集計手段と、
上記栄養素の理想値を取得する理想値取得手段と、
上記集計手段により集計された上記栄養素の集計値と、上記理想値取得手段により取得された上記栄養素の理想値との乖離傾向を分析する分析手段と、
上記乖離傾向と補充すべき摂取物の種類との３段階以上の連関度を有する連関性が予め記憶されている連関摂取物データベースと、
上記連関摂取物データベースに記憶されている連関性を参照し、上記乖離傾向に基づき、１以上の摂取物を探索する探索手段とを備えること
を特徴とする摂取物探索システム。
【請求項２】
入力されたユーザ情報に対応する栄養素の量を集計する集計手段と、
上記栄養素の理想値を取得する理想値取得手段と、
上記集計手段により集計された上記栄養素の集計値と、上記理想値取得手段により取得された上記栄養素の理想値との乖離傾向を分析する分析手段と、
上記乖離傾向と予め類型化された診断結果との３段階以上の連関度を有する第１連関性、並びに上記類型化された診断結果と補充すべき摂取物の種類との３段階以上の連関度を有する第２連関性が記憶されている連関摂取物データベースと、
上記連関摂取物データベースに記憶されている第１連関性を参照し、上記乖離傾向と連関性の高い１以上の診断結果を探索すると共に、上記連関摂取物データベースに記憶されている第２連関性を参照し、その探索した１以上の診断結果と連関性の高い１以上の摂取物を探索する探索手段とを備えること
を特徴とする摂取物探索システム。
【請求項３】
上記分析手段により分析された上記乖離傾向を、ユーザが所有するユーザ端末に報知する報知手段を更に備えること
を特徴とする請求項１又は２記載の摂取物探索システム。
【請求項４】
上記報知手段は、上記乖離傾向に基づき、食生活の改善に関する情報を報知すること
を特徴とする請求項３記載の摂取物探索システム。
【請求項５】
上記探索手段は、人工知能により制御されること
を特徴とする請求項１〜４の何れか１項記載の摂取物探索システム。
【請求項６】
摂取物の評価結果が反映された評価データを抽出する評価データ抽出手段を更に備え、
上記探索手段を制御する人工知能は、上記評価データ抽出手段により抽出された評価データを上記各連関性に反映させること
を特徴とする請求項５記載の摂取物探索システム。
【請求項７】
入力されたユーザ情報に対応する栄養素の量を集計する集計ステップと、
上記栄養素の理想値を取得する理想値取得ステップと、
上記集計ステップにより集計された上記栄養素の集計値と、上記理想値取得ステップにより取得された上記栄養素の理想値との乖離傾向を分析する分析ステップと、
上記乖離傾向と補充すべき摂取物の種類との３段階以上の連関度を有する連関性が予め記憶されている連関摂取物データベースに記憶されている連関性を参照し、上記乖離傾向に基づき、１以上の摂取物を探索する探索ステップとを有すること
を特徴とする摂取物探索方法。
【請求項８】
入力されたユーザ情報に対応する栄養素の量を集計する集計ステップと、
上記栄養素の理想値を取得する理想値取得ステップと、
上記集計ステップにより集計された上記栄養素の集計値と、上記理想値取得ステップにより取得された上記栄養素の理想値との乖離傾向を分析する分析ステップと、
上記乖離傾向と補充すべき摂取物の種類との３段階以上の連関度を有する連関性が予め記憶されている連関摂取物データベースに記憶されている連関性を参照し、上記乖離傾向に基づき、１以上の摂取物を探索する探索ステップとをコンピュータに実行させること
を特徴とする摂取物探索プログラム。
【発明の詳細な説明】
【技術分野】
【０００１】
本発明は、ユーザに過不足となる栄養素に基づいて最適な摂取物を通知する上で好適な摂取物探索システム、摂取物探索方法、及び摂取物探索プログラムに関する。
【背景技術】
【０００２】
近年の健康志向への高まりから、栄養素の理想値に基づいて、食事の制限や、一定以上の運動等を行い、健康維持を図る方法が注目されている。また、食事の制限や運動の実施に加えて、サプリメント等の摂取物を用いることで、効率良く栄養素の過不足を補うことも行われている。
【０００３】
例えばサプリメントは、健康の維持増進、疾病予防、美容、アンチエイジング、栄養成分補強等を主目的として特に近年において急激に普及している。サプリメントは、不足している栄養素を摂取し、或いは余分な栄養素を消費することにより、健康状態を維持し、不健康状態を改善するための物質であり、通常は錠剤やカプセル、顆粒の状態で市販される。一方、一般食品に分類されるサプリメントは、効果効能表示が景品表示法等によって禁止されているため、この種のサプリメントの摂取者は、自身の知識や判断に基づいて、摂取目的に見合った商品を選択し、購入するのが一般的な傾向である。
【０００４】
従来、ユーザにとって必要なサプリメントを決定し、その上でサプリメントを分包機により自動的に分包して提供することが可能なサプリメント調合システムが提案されている（例えば、特許文献１参照。）。このサプリメント調合システムでは、ユーザの症状や摂取目的、摂取したい栄養素等を入力することにより、各種データベースのデータに基づいてユーザに必要なサプリメントを決定する。また特許文献２には、利用者の個人データを長時間蓄積した蓄積データを予め記憶しておくと共に、サプリメントの購入時に当日データを入力し、蓄積データ及び当日データに基づいてサプリメントを調合するシステムが開示されている（例えば、特許文献２参照。）。
【０００５】
また特許文献３には、サプリメントの調合に限定した技術ではないが、ＩＴ技術を利用してレシピや献立を個人の状況や属性に応じてカスタマイズする食情報支援情報装置が開示されている。
【０００６】
しかしながら、この特許文献１〜３の開示技術によれば、食事毎や運動の実施毎に対応する栄養素を集計し、ユーザに過不足となる栄養素に基づき、健康状態を維持する上で最適なサプリメント等の摂取物を選び出すことができないという問題点があった。
【先行技術文献】
【特許文献】
【０００７】
【特許文献１】特開２００４−２７２６１８号公報
【特許文献２】特開２００４−８６６６０号公報
【特許文献３】特開２０１４−２４１０４４号公報
【発明の概要】
【発明が解決しようとする課題】
【０００８】
そこで本発明は、上述した問題点に鑑みて案出されたものであり、その目的とするところは、ユーザに過不足となる栄養素に基づき、健康状態を向上させる上で摂取すべき最適な摂取物を探索することが可能な摂取物探索システム、摂取物探索方法、及び摂取物探索プログラムを提供することにある。
【課題を解決するための手段】
【０００９】
第１発明に係る摂取物探索システムは、入力されたユーザ情報に対応する栄養素の量を集計する集計手段と、上記栄養素の理想値を取得する理想値取得手段と、上記集計手段により集計された上記栄養素の集計値と、上記理想値取得手段により取得された上記栄養素の理想値との乖離傾向を分析する分析手段と、上記乖離傾向と補充すべき摂取物の種類との３段階以上の連関度を有する連関性が予め記憶されている連関摂取物データベースと、上記連関摂取物データベースに記憶されている連関性を参照し、上記乖離傾向に基づき、１以上の摂取物を探索する探索手段とを備えることを特徴とする。
【００１０】
第２発明に係る摂取物探索システムは、入力されたユーザ情報に対応する栄養素の量を集計する集計手段と、上記栄養素の理想値を取得する理想値取得手段と、上記集計手段により集計された上記栄養素の集計値と、上記理想値取得手段により取得された上記栄養素の理想値との乖離傾向を分析する分析手段と、上記乖離傾向と予め類型化された診断結果との３段階以上の連関度を有する第１連関性、並びに上記類型化された診断結果と補充すべき摂取物の種類との３段階以上の連関度を有する第２連関性が記憶されている連関摂取物データベースと、上記連関摂取物データベースに記憶されている第１連関性を参照し、上記乖離傾向と連関性の高い１以上の診断結果を探索すると共に、上記連関摂取物データベースに記憶されている第２連関性を参照し、その探索した１以上の診断結果と連関性の高い１以上の摂取物を探索する探索手段とを備えることを特徴とする。
【００１１】
第３発明に係る摂取物探索システムは、第１発明又は第２発明において、上記分析手段により分析された上記乖離傾向を、ユーザが所有するユーザ端末に報知する報知手段を更に備えることを特徴とする。
【００１２】
第４発明に係る摂取物探索システムは、第３発明において、上記報知手段は、上記乖離傾向に基づき、食生活の改善に関する情報を報知することを特徴とする。
【００１３】
第５発明に係る摂取物探索システムは、第１発明〜第４発明の何れかにおいて、上記探索手段は、人工知能により制御されることを特徴とする。
【００１４】
第６発明に係る摂取物探索システムは、第５発明において、摂取物の評価結果が反映された評価データを抽出する評価データ抽出手段を更に備え、上記探索手段を制御する人工知能は、上記評価データ抽出手段により抽出された評価データを上記各連関性に反映させることを特徴とする。
【００１５】
第７発明に係る摂取物探索方法は、入力されたユーザ情報に対応する栄養素の量を集計する集計ステップと、上記栄養素の理想値を取得する理想値取得ステップと、上記集計ステップにより集計された上記栄養素の集計値と、上記理想値取得ステップにより取得された上記栄養素の理想値との乖離傾向を分析する分析ステップと、上記乖離傾向と補充すべき摂取物の種類との３段階以上の連関度を有する連関性が予め記憶されている連関摂取物データベースに記憶されている連関性を参照し、上記乖離傾向に基づき、１以上の摂取物を探索する探索ステップとを有することを特徴とする。
【００１６】
第８発明に係る摂取物探索プログラムは、入力されたユーザ情報に対応する栄養素の量を集計する集計ステップと、上記栄養素の理想値を取得する理想値取得ステップと、上記集計ステップにより集計された上記栄養素の集計値と、上記理想値取得ステップにより取得された上記栄養素の理想値との乖離傾向を分析する分析ステップと、上記乖離傾向と補充すべき摂取物の種類との３段階以上の連関度を有する連関性が予め記憶されている連関摂取物データベースに記憶されている連関性を参照し、上記乖離傾向に基づき、１以上の摂取物を探索する探索ステップとをコンピュータに実行させることを特徴とする。
【発明の効果】
【００１７】
上述した構成からなる本発明によれば、ユーザに過不足となる栄養素に基づき、健康状態を向上させる上で摂取すべき最適な摂取物を探索することができる。
【００１８】
即ち、食事毎、又は運動の実施毎に、過不足となる栄養素を容易に補充することができる。その結果、ユーザは理想値に近い栄養素を効率良く摂取することができる。しかも、１回の食事や運動の都度、このような栄養素の分析、最適な摂取物の探索を行うことができる上、栄養素の情報を把握することができる。このため、ユーザは、自身の健康状態や不足している栄養素、過剰な栄養素が何であるかを自己分析した上で、摂取すべき最適な摂取物の成分が何であるかを、食事や運動の都度検討する時間を大幅に削減することができる。また、コンビニエンスストア、スーパー、若しくはパン屋等の食品販売店、又はファミリーレストラン等の飲食店は、このような栄養素の集計に対応した食品や料理を提供することで、他店との差別化を図ることで売り上げを向上させることが可能となる。また、スポーツジム、施術エステ、エステサロン、フィットネスクラブ、マッサージ店、又は各種健康ランド等においても、栄養素の集計に対応したメニューを用いることで、他店との差別化を図ることができ、売り上げを向上させることが可能となる。また、本発明によれば、食事や運動を実施した時に集計された栄養素に加え、それよりも前に集計された栄養素も加味した上で、総合的に最適な摂取物を探索することができる。さらに、食事や運動の実施の他、栄養素に関連する化粧品等の品物に関しても、上記と同様に最適な摂取物を探索することができる。このため、化粧品販売店、ドラッグストア、又は薬局においても、上記と同様に売り上げを向上させることが可能となる。上記の他に、例えば美容院、理髪店、介護施設、ペットショップ、社員食堂、工場、又はその他全小売店等において摂取物を販売することができ、ユーザはあらゆる場面で摂取物を購入することができるため、摂取物の販売促進を実現することができる。
【図面の簡単な説明】
【００１９】
【図１】本発明を適用した摂取物探索システムの全体構成の一例を示す模式図である。
【図２】本発明を適用した摂取物探索システムの全体構成の他の一例を示す模式図である。
【図３】本発明を適用した摂取物探索システムの動作の一例を示すフローチャートである。
【図４】ユーザ情報を取得する一例を示す図である。
【図５】栄養素の集計値の一例を示す図である。
【図６】栄養素の集計値と、栄養素の理想値との乖離傾向の一例を示す図である。
【図７】乖離傾向と予め類型化された診断結果との第１連関性を参照しつつ探索を行う例を示す図である。
【図８】探索した１以上の診断結果と連関性の高い１以上のサプリメントを探索する例を示す図である。
【図９】診断結果を探索することなく、乖離傾向から直接サプリメントを探索する例を示す図である。
【図１０】飲食店内に設置されたサプリメントバーにおいてサプリメントを自由に取る例を示す図である。
【図１１】類型化された診断結果及び属性情報と、補充すべきサプリメントの種類との第２連関性を参照しつつ探索を行う例を示す図である。
【図１２】単一の成分からなるサプリメントを選択する例を示す図である。
【図１３】診断結果を探索することなく、乖離傾向から直接的に単一成分からなるサプリメントを探索する例を示す図である。
【図１４】推奨する食料品や料理を表示する一例を示す図である。
【図１５】ユーザ端末及び健康情報の一例を示す図である。
【図１６】乖離傾向の結果に基づいた情報を表示する一例を示す図である。
【発明を実施するための形態】
【００２０】
以下、本発明を適用した摂取物探索システム１００について、図面を参照しながら詳細に説明をする。
【００２１】
摂取物探索システム１００は、ユーザ等が入力したユーザ情報に基づき、最適な摂取物を探索する。ユーザ情報は、ユーザが購入又は注文した食品等を示す食品情報と、ユーザが実施した運動等を示す健康情報とを含み、例えば、栄養素に関連する化粧品等の品物の情報も含む。また、摂取物は、食料品、飲料、サプリメント等の食品と、栄養素に関連する化粧品等と、医薬品とを含む他、例えば口から摂取するあらゆるものを含めてもよい。
【００２２】
図１は、本発明を適用した摂取物探索システム１００の全体構成を示すブロック図である。摂取物探索システム１００は、中央制御端末１と、公衆通信網４を介して中央制御端末１と接続されたユーザ端末２とを備える。中央制御端末１は、例えば公衆通信網４を介して、サーバ３と接続されてもよい。
【００２３】
公衆通信網４は、中央制御端末１等が通信回線を介して接続されるインターネット網等である。公衆通信網４につきいわゆる光ファイバ通信網で構成してもよい。また、この公衆通信網４は、有線通信網に限定されるものではなく、無線通信網で実現するようにしてもよい。
【００２４】
中央制御端末１は、摂取物探索システム１００を運営する企業内に設置され、管理者等が操作可能な端末であり、主にパーソナルコンピュータ（ＰＣ）等を始めとした電子機器で構成されるが、ＰＣ以外に、携帯電話、スマートフォン、タブレット型端末、ウェアラブル端末等、他のあらゆる電子機器で具現化されるものであってもよい。
【００２５】
中央制御端末１は、制御部１１と、集計部１２と、分析部１３と、記憶部１４と、探索部１５とを備える。各構成１１〜１５は、内部バス１８を介して通信Ｉ／Ｆ１９と接続される。内部バス１８には、各種情報を表示する表示部１６、及び各種制御用の指令を入力するための操作部１７が接続される。
【００２６】
制御部１１は、内部バス１８を介して制御信号を送信することにより、中央制御端末１内に実装された各構成要素を制御するためのいわゆる中央制御ユニットである。また、この制御部１１は、操作部１７を介した管理者等の操作に応じて、内部バス１８を介して各種制御用の指令を伝達する。制御部１１は、中央制御端末１全体を制御するＣＰＵ（Central Processing Unit）と、ＣＰＵの動作コードを格納するＲＯＭ（Read Only Memory）と、ＣＰＵの動作時に使用される作業領域であるＲＡＭ（Random Access Memory）とを有する。中央制御端末１の各機能は、ＣＰＵが、ＲＡＭを作業領域として、ＲＯＭ又は記憶部１４に記憶されたプログラムを実行することにより実現される。
【００２７】
集計部１２は、ユーザから入力されたユーザ情報を取得し、ユーザ情報に対応する栄養素の量を集計する。集計部１２は、例えば記憶部１４に記憶された栄養素データを参照して、ユーザ情報から栄養素の量を集計する。例えば、集計部１２は、ユーザ情報として対象物の画像を取得する。この場合、集計部１２は、画像を解析して栄養素の量を集計する。
【００２８】
ユーザ情報として画像が取得される他、食品の名前や運動メニュー等の文字が取得されてもよい。この場合、取得されたユーザ情報を単語、形態素、句、節等、あらゆる文法上の構造単位の中から何れか１以上の単位に亘り、文字列の抽出を行う。その後、抽出された文字列に対応する栄養素の量を集計してもよい。なお、ユーザ情報を管理者等が表示部１６を介して確認し、表示部１６を介して栄養素の量を入力してもよい。集計部１２は、例えば人工知能により制御されてもよい。ここで「人口知能」とは、いかなる周知の人工知能技術に基づくものであってもよい。
【００２９】
分析部１３は、栄養素の理想値を、例えば記憶部１４から取得し、集計部１２により集計された栄養素の集計値と、栄養素の理想値との乖離傾向を分析する。分析部１３は、例えば人工知能により制御されてもよい。
【００３０】
記憶部１４は、例えばＨＤＤ（Hard Disk Drive）の他、ＳＳＤ（solid state drive）等で構成される場合において、制御部１１による制御に基づき、各アドレスに対して所定の情報が書き込まれるとともに、必要に応じてこれが読み出される。また、この記憶部１４には、本発明を実行するためのプログラムが格納されてもよい。このプログラムは制御部１１により読み出されて実行される。記憶部１４は、例えば、栄養素の理想値が記憶されているデータベースを有する。記憶部１４は、乖離傾向と補充すべき摂取物の種類との３段階以上の連関度を有する連関性が記憶されている連関摂取物データベースを有する。連関摂取物データベースには、上記の他に、乖離傾向と予め類型化された診断結果との３段階以上の連関度を有する第１連関性、並びに上記類型化された診断結果と補充すべき摂取物の種類との３段階以上の連関度を有する第２連関性が記憶されている。
【００３１】
探索部１５は、連関摂取物データベースに記憶されている連関性を参照し、分析部１３により分析された乖離傾向に基づき、１以上の摂取物を探索する。探索部１５は、上記の他に、連関摂取物データベースに記憶されている第１連関性を参照し、分析部１３により分析された乖離傾向と連関性の高い１以上の診断結果を探索するとともに、連関摂取データベースに記憶されている第２連関性を参照し、その探索した１以上の診断結果と連関性の高い１以上の摂取物を探索する。探索部１５は、人工知能により制御されてもよい。
【００３２】
表示部１６は、制御部１１による制御に基づいて表示画像を作り出すグラフィックコントローラにより構成されている。この表示部１６は、例えば、液晶ディスプレイ（ＬＣＤ）等によって実現される。
【００３３】
操作部１７は、操作ボタンやキーボード等によって具現化され、管理者等からの操作に応じて、各種制御用の指令を制御部１１に送る。
【００３４】
通信Ｉ／Ｆ１９は、公衆通信網４と接続するための回線制御回路や、他の端末装置との間でデータ通信を行うための信号変換回路等が実装されている。通信Ｉ／Ｆ１９は、内部バス１８からの各種命令に変換処理を施してこれを公衆通信網４側へ送出するとともに、公衆通信網４からのデータを受信した場合にはこれに所定の変換処理を施して内部バス１８、或いは制御部１１、探索部１５等へ送信する。
【００３５】
ユーザ端末２は、ユーザ情報を取得し、中央制御端末１へ送信する。ユーザ端末２として、主に携帯電話が用いられ、それ以外ではスマートフォン、タブレット型端末、ウェアラブル端末、パーソナルコンピュータ等の電子機器の他、あらゆる電子機器で具現化されたものが用いられてもよい。
【００３６】
ユーザ端末２は、例えば、カメラ機能を搭載する。このとき、ユーザが購入した弁当、冷凍食品、食材、飲食店の料理等を含む食品をカメラ機能で撮影し、この画像をユーザ情報として中央制御端末１へ送信する。食品等の画像の他、例えば、化粧品、スポーツジム等の運動メニュー、施術エステメニューや各種健康ランド等のメニューを撮影した画像も、ユーザ情報として用いることができる。また、ユーザ端末２で撮影された画像をユーザ情報として用いる他、食品の名前、運動メニュー、又は栄養素の量を、ユーザ端末２に直接入力したデータを、ユーザ情報として用いてもよい。中央制御端末１は、ユーザ情報を受信し、過不足する栄養素に基づいて、例えば最適の副菜、食品、ドリンク、冷凍食品、サプリメント、医薬品等を含む摂取物を表示する。
【００３７】
サーバ３には、所定のデータベースが構築されている。このデータベースには、公衆通信網４を介して送られてきた情報が蓄積される。また、このサーバ３は、中央制御端末１からの要求に基づいて、この蓄積した情報を、公衆通信網４を介して中央制御端末１へと送信する。サーバ３には、例えば記憶部１４と同様のデータが記憶されてもよい。
【００３８】
図２に示すように、例えば摂取物探索システム１００は、摂取物供給装置５と、店舗用端末６とを有してもよい。
【００３９】
摂取物供給装置５には、市販の食料品、飲料、医薬品、及びサプリメントの少なくとも何れかを含む摂取物が、現金の投入又は電子マネーによる支払いに応じて自動的に搬出される装置である。摂取物供給装置５には、複数種の摂取物が予め装入されており、ユーザに対して視認可能な状態で陳列され、或いは摂取物の画像が表示パネル上に表示されている。ユーザは、購入を希望する摂取物のボタンを押圧することで、摂取物供給装置５からその摂取物が搬出されることとなる。ちなみに、この摂取物供給装置５の構成は、従来における周知の自動販売機の構成をそのまま適用するようにしてもよい。
【００４０】
摂取物供給装置５は、例えばコンビニエンスストア、スーパー、パン屋等の食品販売店舗、ファミリーレストラン等の飲食店舗、スポーツジム、施術エステ、エステサロン、フィットネスクラブ、マッサージ店、各種健康ランド等の健康に関する店舗、化粧品販売店、ドラッグストア、薬局等の品物を扱う店舗等に設置できる他、美容院、理髪店、介護施設、ペットショップ、社員食堂、工場、又はその他全小売店等にも設置でき、設置場所及び店舗は任意である。なお、摂取物を取得する店舗がユーザ情報を取得した店舗とは異なる場合においても、ユーザは滞りなく摂取物を取得することができる。
【００４１】
摂取物供給装置５は、例えば店舗用端末６と通信可能とされてもよい。店舗用端末６は、中央制御端末１から摂取物の情報を受信し、摂取物の情報に基づいて摂取物供給装置５を制御してもよい。店舗用端末６は、この受信した摂取物の情報に対応した摂取物を搬出するようにしてもよい。
【００４２】
店舗用端末６は、ユーザが購入した食品や、ユーザが実施した運動メニュー等を含むユーザ情報を、中央制御端末１又はユーザ端末２に送信してもよい。このとき、ユーザは、ユーザ端末２にユーザ情報を入力せずに、摂取物を取得することができる。
【００４３】
なお、摂取物供給装置５の構成は省略するようにしてもよい。つまり、摂取物供給装置５を設置する代わりに、店内に摂取物販売コーナーを設けて、店員が直接摂取物を販売するようにしてもよいし、店内における会計スペースにてユーザが精算をする際において一緒に摂取物を販売してもよい。また店内において複数種の摂取物を陳列させておき、ユーザが希望する摂取物を自由に買い取るようにしてもよい。摂取物のユーザへの提供を有償又は無償にするかは店舗側が自由に設定してもよいことは勿論である。また、摂取物供給装置５は、公衆通信網４と独立して設置されてもよい。
【００４４】
次に、本発明を適用した摂取物探索システム１００の動作について説明をする。なお、以下では、摂取物としてサプリメントを用い、ユーザ情報として食品情報を用いて説明する。
【００４５】
図３は、本発明を適用した摂取物探索システム１００の動作の一例を示すフローチャートである。図３に示すように、ユーザから入力されたユーザ情報に対応する栄養素の量を集計する（集計手段：ステップＳ１１０）。例えば図４（ａ）〜図４（ｃ）に示すように、コンビニエンスストア等の食品販売店において、ユーザが弁当等の食品を購入する。ユーザは、ユーザ端末２に搭載されたカメラを用いて、食品、食品の材料表示、及びレシートの少なくとも何れかを撮影する。ユーザは、撮影した画像を中央制御端末１へ送信する。このとき、ユーザ情報は、撮影した画像の他、例えばユーザの年齢や性別等の個人情報を含んでもよい。例えば、中央制御端末１の制御部１１は、受信したユーザ情報を記憶部１４に記憶する。
【００４６】
その後、中央制御端末１の集計部１２は、ユーザ端末２から送信されたユーザ情報を取得する。集計部１２は、予め記憶部１４から取得した栄養素データを参照して、ユーザ情報に対応する栄養素の量を集計する。この場合、例えば取得した画像の画素毎における輝度値等に基づき特徴量を抽出し、抽出された特徴量から画像を分類する。その後、栄養素データを参照して、分類された画像の栄養素の量を集計する。集計部１２は、集計した栄養素の量を、栄養素の集計値として記憶部１４に記憶する。このとき、集計部１２は、例えばユーザ情報に含まれた個人情報も記憶部１４に記憶する。
【００４７】
図５において、この参照すべき栄養素データの例を示す。この栄養素データは牛肉コロッケの例であるが、総カロリーと三大栄養素、ビタミン、ミネラル、その他（食物繊維の総量、食塩相当量等）、脂肪酸、アミノ酸の各項目についての詳細なデータにより構成される。なお、これら栄養素の成分の項目は、図５に示す分類に限定されるものではなく、他のいかなる分類で構成されるものであってもよい。これら参照すべき栄養素データは、記憶部１４に記憶される他、サーバ３に記憶され、公衆通信網４を介して取得されてもよい。
【００４８】
次に、集計部１２で集計した栄養素に対応する栄養素の理想値を取得する（理想値取得手段：ステップＳ１２０）。栄養素の理想値は、例えば一人あたりが摂取する理想的な栄養素の摂取量であり、年齢別、男女別等に類型化されて記憶部１４に予め記憶される。分析部１３は、記憶部１４に記憶された栄養素の集計値を取得し、集計された栄養素に対応する栄養素の理想値を取得する。
【００４９】
栄養素の理想値は、記憶部１４から取得される他、例えばユーザ端末２からユーザが入力してもよく、例えば中央制御端末１の操作部１７から管理者等が入力してもよい。ちなみに、この栄養素の理想値が、サーバ３に記憶されている場合には、公衆通信網４を介して取得されてもよい。
【００５０】
また、分析部１３は、例えば記憶部１４に記憶されたユーザの個人情報を取得し、個人情報に基づいた栄養素の理想値を取得してもよい。個人情報は、例えば記憶部１４にデータベースとして予め記憶されてもよい。この場合、例えば分析部１３は、ユーザ情報が送信されたユーザ端末２のアドレス等の情報に基づいて、記憶部１４のデータベースから個人情報を取得してもよい。
【００５１】
次に、栄養素の集計値と、栄養素の理想値との乖離傾向を分析する（分析手段：ステップＳ１３０）。分析部１３は、取得した栄養素の理想値と、栄養素の集計値とを比較することにより、栄養素の集計値について、栄養素の理想値に対する乖離傾向（栄養素の過不足）を分析する。この乖離傾向の分析を行う際には、いかなる周知の統計的手法を用いて解析を行うようにしてもよい。その一例として、図６に示すように、栄養素の集計値と栄養素の理想値との差分を求めてその傾向を鳥瞰するようにしてもよい。
【００５２】
図６は、栄養素の集計値−栄養素の理想値を表中に示している。この表中の「＋」は、栄養素の集計値が栄養素の理想値よりも多い場合を示しており、表中の「＋」は、栄養素の集計値が栄養素の理想値よりも少ない場合を示している。分析部１３は、このような図６に示す状況を俯瞰することで、栄養素の集計値について栄養素の理想値に対する乖離傾向を分析する。分析部１３は、分析した乖離傾向を記憶部１４に記憶する。
【００５３】
次に、１以上の摂取物（この例ではサプリメント）を探索する（探索手段：ステップＳ１４０）。探索部１５は、分析部１３により分析された乖離傾向を、記憶部１４から取得する。乖離傾向と連関性の高い１以上の診断結果を探索する。この診断結果の探索は、図７に示すような乖離傾向と予め類型化された診断結果との第１連関性を参照しつつ行うようにしてもよい。探索部１５は、記憶部１４の有する連関摂取物データベースから第１連関性を取得する。
【００５４】
第１連関性は、各診断結果が、乖離傾向の各項目とどの程度連関しているかの度合を示すものであり、いわゆるニューラルネットワークで構成されていてもよい。例えば鉄不足に関する診断結果については、エネルギーの差分値並びにその正負、鉄の差分値並びにその正負、亜鉛の差分値並びにその正負、銅の差分値並びにその正負との第１連関性が規定されている。この第１連関性は、単に連関しているか否かの２値で定義されていてもよいし、アナログ的な表現方法で定義されていていてもよい。第１連関性のアナログ的な表現方法としては、鉄不足に関する診断結果については、鉄が負の差分値が大きくなるにつれて、連関度の％が上昇するようにしてもよい。例えば、鉄の差分値が−１であれば５０％、−２であれば５５％、−１０であれば７５％等のように設定されているようにしてもよい。鉄不足に関する診断結果は、このような連関度が栄養素毎に紐付けられており、例えば「エネルギー」が連関度６５％、「鉄」が連関度９４％、「亜鉛」が連関度５９％、「銅」が連関度８３％等のように設定されている。仮に探索部１５が人工知能により制御されるものである場合に、これら連関度がいわゆる教師あり学習を行う場合における重み付け係数となる。
【００５５】
また、鉄不足の診断結果の連関性が高いか否かは、鉄以外の他の栄養素（亜鉛、銅等）の連関度の大小に基づくようにしてもよい。係る場合には、例えば鉄、亜鉛、銅毎に閾値がそれぞれ設定され、全ての閾値を超えた場合に連関性が高い旨を判別するようにしてもよいし、これらのうち何れかが閾値を超えた場合に連関性が高い旨を判別するようにしても良い。
【００５６】
また鉄不足の診断結果の連関性が高いか否かは、鉄以外の他の栄養素（亜鉛、銅等）の連関度の他の栄養素との関係に基づいて判断するようにしてもよいことは勿論である。係る場合には、上述した第１連関性において、乖離傾向の差分値及びその正負は、栄養素毎に重み付けが設定されていてもよい。即ち、探索部１５は、その診断結果に該当するかを判断する際において、連関度が高い栄養素のウェートをより高く、また連関度が低い栄養素のウェートをより低く参照することとなる。仮に上述の例において「エネルギー」が連関度６５％、「鉄」が連関度９４％、「亜鉛」が連関度５９％、「銅」が連関度８３％等のように設定され、何れも乖離傾向が負（即ち、差分値がマイナス）の場合、この「鉄」の差分値のマイナス分が多いほど、診断結果「鉄不足」に該当する可能性が高くなる。この診断結果「鉄不足」に該当するか否かの判断は、この「鉄」以外の「エネルギー」、「亜鉛」、「銅」の差分値並びにその正負をも参照するが重み付けが低いことから、「鉄」の差分値ほど判断のウェートは、高くない。
【００５７】
他の栄養素との関係は、例えば鉄が＋の差分値となっているため鉄が摂取過多となっている場合であっても、鉄分を消化する他の栄養素も多く含まれている場合は、結果として人体に吸収される鉄の量は少なくなる。このため、鉄分を消化する他の栄養素の量によっては、鉄不足の診断結果とは連関性が低いものと判断する場合もある。鉄分を消化する他の栄養素と、「鉄」のそれぞれ乖離傾向の連関度の正負をそれに見合うように設定しておくことで、そのような判断を行うことが可能となる。
【００５８】
また一の栄養素が複数の診断結果と第１連関性が高くなるように設定されていてもよいし、一の診断結果が複数の栄養素との間で第１連関性が高くなるように設定されていてもよい。
【００５９】
他の診断結果（野菜不足、コレステロール多い、成人病のおそれ等）についても同様に乖離傾向と予め類型化された診断結果との第１連関性を参照しつつ判断を行う。そして、今回分析した乖離傾向が、いかなる診断結果と連関性が高いかを判別する。この連関性が高いか否かの判断は、診断結果毎に設定された閾値を超えたか否かに基づいて絶対評価する場合に限定されるものではなく、相対評価するものであってもよい。係る場合には、例えば各診断結果の中で、分析した乖離度との連関度が高いものを上から１以上選択するようにしてもよい。
【００６０】
このようにして乖離傾向の差分値及び正負を連関度で重み付けすることを栄養素毎に行い、例えばその栄養素毎に行った重み付け後の値の総合計を求めて、所定の閾値を超えている場合に、その診断結果に該当するものと判断し、所定の閾値以下の場合にはその診断結果に該当しないものと判断するようにしてもよい。また、これ以外には、栄養素の乖離傾向の差分値及び正負について、周知の演算式に代入して演算を行い、その演算結果の数値に基づいて連関性の高低を判別するようにしてもよい。
【００６１】
なお、今回分析した乖離傾向と連関性の高い診断結果は、１つを選択する場合に限定されるものではなく、２以上選択するものであってもよい。つまり、一回の探索で「コレステロール多い」、「糖尿病のおそれ」の２つが選択される場合もある。
【００６２】
次に探索部１５は、この連関性の高いものと判断した診断結果からサプリメントを探索する。この診断結果の連関性が高いか否かの判断は、２値で、換言すれば真偽で表されるものであってもよいし、３段階以上で判断されるものであってもよい。
【００６３】
図８は、探索した１以上の診断結果と連関性の高い１以上のサプリメントを探索する例を示している。このサプリメントの探索は、左列に配列している、探索した１以上の診断結果と、右列に配列しているサプリメントとの連関性（以下、第２連関性という。）を参照しながら行う。探索部１５は、記憶部１４の有する連関摂取物データベースから第２連関性を取得する。
【００６４】
この第２連関性は、各サプリメントが、診断結果とどの程度連関しているかの度合を示すものであり、いわゆるニューラルネットワークで構成されていてもよい。サプリメントＡについては、野菜不足、コレステロール多い、の第２連関性が規定されている。この第２連関性は、単に連関しているか否かの２値で定義されていてもよいし、アナログ的な表現方法で定義されていていてもよい。第２連関性のアナログ的な表現方法としては、サプリメントＡに対して野菜不足が８４％、コレステロール多いが、６０％、鉄不足が３５％、糖尿病のおそれが多いが２６％等のように連関度が定量的に規定されていてもよい。仮に探索部１５が人工知能により制御されるものである場合に、これら連関度がいわゆる教師あり学習を行う場合における重み付け係数となる。
【００６５】
探索部１５は、このような第２連関性を参照し、サプリメントを探索していくこととなる。例えば、探索した診断結果が鉄不足である場合、第２連関性を参照した場合、その「鉄不足」と連関性の高いのはサプリメントＥである。このため、探索すべきサプリメントとしてサプリメントＥを探索解として選択することとなる。
【００６６】
また例えば、探索した診断結果が野菜不足である場合、第２連関性を参照した場合、その「野菜不足」と連関性の高いのはサプリメントＡである。このため、探索すべきサプリメントとしてサプリメントＡを探索解として選択することとなる。また、探索した診断結果が「野菜不足」、「コレステロール多い」、「糖尿病のおそれが多い」の３つである場合、これらに何れも効き目のあるサプリメントとして、サプリメントＢが第２連関性が高いため、当該サプリメントＢを探索解としてもよい。
【００６７】
また、探索した診断結果が「糖尿病のおそれが多い」である場合、第２連関性を参照した場合に、「糖尿病のおそれが多い」と連関性が高いサプリメントＢ、Ｃ、Ｅの２つを探索するようにしてもよいし、連関度（重み付け係数）が定量的に規定されている場合は、その連関度の高い方を探索するようにしてもよい。仮にサプリメントＣがサプリメントＥよりも連関度が低い場合であっても、予め規定したルールに基づいて連関度の低いサプリメントＣを探索解として選択する場合もあり得る。ここでいう予め規定したルールとは、図７に示すある栄養素の乖離傾向の差分値や正負を参照し、これが所定の傾向又は所定の値を超えている場合には、サプリメントＣを探索解とするようにしてもよいし、ある栄養素の乖離傾向の差分値や正負を重み付けして連関度に反映させるようにしてもよい。このようにして第２連関性は、サプリメントと診断結果の連関性のみを規定する場合に限定されるものではなく、更に乖離傾向との関係を連関性に反映させるようにしてもよい。
【００６８】
また、連関度（重み付け係数）が定量的に規定されている場合において、これに基づいた教師あり学習を介して判断する場合の例として、診断結果「野菜不足」、「コレステロール多い」、「糖尿病のおそれが多い」に対するサプリメントＢの第２連関性を挙げる。即ち、「野菜不足」の連関度が５５％、「コレステロール多い」の連関度が８９％、「糖尿病のおそれが多い」の連関度が２３％である場合、「野菜不足」に該当している場合には、よりサプリメントＢが探索される可能性が高くなる。一方、「野菜不足」に該当していない場合には、他の「コレステロール多い」、「糖尿病のおそれが多い」が該当している場合であっても、サプリメントＢが探索される可能性が低くなる。
【００６９】
このようにして診断結果を連関度で重み付けすることを診断結果毎に行い、例えばその診断結果毎に行った重み付け後の値の総合計を求めて、総合計が所定の閾値を超えている場合に、そのサプリメントに該当するものと判断し、総合計が所定の閾値以下の場合にはそのサプリメントに該当しないものと判断するようにしてもよい。また、これ以外には、診断結果について、周知の演算式に代入して演算を行い、その演算結果の数値に基づいてそのサプリメントに該当するか否か判断するようにしてもよい。
【００７０】
上述した例では、あくまで診断結果に該当するか否かの２値で表される場合を例にとり説明をした。診断結果が３段階以上で表現される場合においても同様に、判断されるものであってもよい。係る場合において、３段階以上でランキングされた診断結果のランクと、この連関度とを考慮してサプリメントを決定するようにしてもよい。
【００７１】
また、第２連関性を参照した探索の結果、各サプリメントに該当するか否かの２値で判断される場合に限定されるものではなく、該当するサプリメントの量についても探索されるものであってもよい。係る場合には、第２連関性と各サプリメントの量について予め教師データとして取得しておき、これに基づいて単にサプリメントに該当するか否かのみならず、具体的なサプリメントの量に至るまでを探索することとなる。
【００７２】
また探索部１５は、乖離傾向から第１連関性を介して診断結果を探索し、診断結果から第２連関性を介してサプリメントを探索する場合を例にとり説明をしたが、これに限定されるものではない。つまり図９に示すように、診断結果を探索することなく、乖離傾向から直接サプリメントを探索するようにしてもよい。即ち、第１連関性がそのまま第２連関性に繋がることとなる。これらを総称して、連関性と定義する。実際の探索方法は、第１連関性、第２連関性に基づく場合と同様であるが、その都度診断結果を求めることなくストレートにサプリメントを探索する。
【００７３】
即ち、この探索部１５は、このような連関性を参照し、分析した乖離傾向に基づき、１以上のサプリメントを探索することとなる。この探索されたサプリメントは、例えばユーザが購入した食品に基づき、不足している栄養素や過剰な栄養素を分析した診断結果に基づき、当該ユーザが摂取すべき最適なサプリメントにあたるものである。探索部１５により探索されたサプリメントの種類、量に関する各種情報を、以下、サプリメント情報という。探索部１５は、このサプリメント情報を生成した上でこれを制御部１１による制御の下、記憶部１４へ記憶させる。
【００７４】
例えば、探索部１５は、サプリメント情報、診断結果、乖離傾向、栄養素の集計値、及び栄養素の理想値の少なくとも何れかを報知する（報知手段）。探索部１５は、サプリメント情報、乖離傾向、診断結果、栄養素の集計値、及び栄養素の理想値の少なくとも何れかをユーザ端末２に送信し、ユーザ端末２は、サプリメント情報、乖離傾向、栄養素の集計値、及び栄養素の理想値の少なくとも何れかを表示等によりユーザに報知する。
【００７５】
サプリメント情報が報知された場合、ユーザは、サプリメント情報を基に、例えば図２に示した摂取物供給装置５でサプリメントを取得する他、サプリメントを扱っている店舗の店員にサプリメント情報を伝え、サプリメントを取得する。
【００７６】
乖離傾向が報知された場合、ユーザは、サプリメント情報と乖離傾向とを参照して、取得するサプリメントを任意に選択してもよい。例えば、過不足が大きい栄養素のみを対象としたサプリメントのみを取得することも可能である。
【００７７】
例えば、摂取物探索システム１００で得られた摂取物情報、乖離傾向、栄養素の集計値、及び栄養素の理想値の少なくとも何れかを用いて、栄養士等がユーザに食生活の改善に関するアドバイスや相談等（食生活の指導）を行ってもよい。このとき、摂取物探索システム１００を用いることで、アドバイスや相談等に必要なデータを容易に収集することができる。
【００７８】
また、栄養士等の代わりに、人工知能を用いて、食生活の改善に関するアドバイスや相談等を行ってもよい。例えば、探索部１５は、乖離傾向に基づき、栄養素の過不足を補充するための献立等を選択する。この他、探索部１５は、過去のユーザ情報等を集め、栄養素の過不足の原因となっている食品を探索してもよい。これらの結果をユーザに報知することで、ユーザの食生活の改善を促すことができる。このため、ユーザは、最適なサプリメントの取得に加えて、日々の食生活の改善を図ることが可能となる。
【００７９】
ユーザは、例えばユーザ端末２を用いて、摂取物探索システム１００との音声又は文字による会話形式により、食生活に関するアドバイスや相談等を行うことができる。このため、時間や場所を気にせずに、食生活の改善を図ることができる。
【００８０】
このように、本発明を適用した摂取物探索システム１００は、コンビニエンスストア等の食品販売店で購入した食品の情報をユーザ情報として、ユーザに過不足となる栄養素に基づき、健康状態を向上させる上で摂取すべき最適な摂取物を探索することができる。  即ち、食事毎に過不足となる栄養素を容易に補充することができる。その結果、ユーザは理想値に近い栄養素を効率良く摂取することができる。
【００８１】
例えば、探索部１５は、図２に示した店舗用端末６にサプリメント情報を送信してもよい。店舗用端末６は、受診したサプリメント情報に基づいて、そのユーザが補充すべきサプリメントの情報を記述したレシート等を印刷してもよく、直接サプリメントを供給してもよい。
【００８２】
また店舗用端末６がユーザ情報を摂取物供給装置５に送信した場合、ユーザは、摂取物供給装置５に進むことで、自らが摂取すべきサプリメントが自動的に搬出されることとなる。
【００８３】
なお、この摂取物供給装置５を設置する代わりに、店内にて店員がサプリメントを販売するようにしてもよい。係る場合には、ユーザが、サプリメント情報を受信したユーザ端末２、又はサプリメント情報を記載したレシート等を店員に見せることで、店員がいかなるサプリメントを販売すればよいか理解することができる。或いはユーザがユーザ端末２又はレシート等に記載されているサプリメントの種類、量を店員に告げることで、これを購入するようにしてもよい。
【００８４】
また、店舗用端末６は、例えばレストラン等の飲食店に設置された場合、ユーザ情報として、料理、料理の見本、若しくはメニューをユーザ端末２で撮影された画像、又はメニューを直接入力したデータが用いられる他、店員がユーザから受注した注文情報が用いられてもよい。この場合、サプリメントの提供、販売は、ユーザが帰る段階で行う場合に限定されるものではない。少なくともユーザ情報を得た段階で、そのユーザにとって最適なサプリメントを選択することができるため、ユーザによるメニューオーダー時にサプリメントを配布するようにしてもよい。このとき、探索したサプリメントを配布する代わりに、飲食物にサプリメントと同一の成分を混合してユーザに給仕するようにしてもよい。
【００８５】
このとき、ユーザによるメニューオーダー時にサプリメントを配布する代わりに、ユーザの所有するユーザ端末２にサプリメント情報を送信し、又は伝票にサプリメント情報が記載された伝票をユーザに渡し、ユーザは店内にある摂取物供給装置５、又はサプリメントを自由に取ることができる、いわゆるサプリメントバーに行き、所望のサプリメントを取得するようにしてもよい。図１０に示すようにサプリメント情報として、不足している栄養素と、補充すべきサプリメントからなるサプリメント情報が記載された伝票１１９をユーザに渡し、ユーザはその伝票に記載されているサプリメント情報を確認し、図１０に示すように補充すべきサプリメント１２１をサプリメントバー１２０から自由に選んで取得することとなる。
【００８６】
また、レストラン等の飲食店の注文方法がセルフオーダー端末で行われる場合、このセルフオーダー端末の画面上に探索したサプリメント情報を表示するようにしてもよい。ユーザは、このセルフオーダー端末の画面上の表示から自ら摂取すべきサプリメントを知ることができ、例えば店内にあるサプリメントバーにて所望のサプリメントを得ることが可能となる。
【００８７】
このようにして、本発明を適用した摂取物探索システム１００では、レストランや居酒屋等の飲食店において、ユーザに好きなものを好きなだけ食べてもらう一方、その飲食した飲食物の栄養素を分析することで、摂取しすぎた塩分や脂肪、カロリーを消費しつつ、足りない栄養素を補充することができる。その結果、ユーザには、飲食店にて飲食する際に、味覚の面で満足感を満たすと共に健康面も両立させることができる。しかも、１回の飲食の都度、このような栄養素の分析、最適なサプリメントの探索並びにそのユーザへの通知を行うことができる。このため、ユーザは、飲食店において好きなものを好きなだけ食べた後、自身の健康状態や不足している栄養素、過剰な栄養素が何であるかを自己分析した上で、摂取すべき最適なサプリメントの成分が何であるかを食事の都度検討する必要も無くなる。またこのような味覚の面で満足感を満たすと共に健康面も両立させるサービスを提供する飲食店も他店との差別化を図ることで売上を向上させることが可能となる。
【００８８】
なお、本発明では、ユーザの属性情報が入力されてもよい（属性情報入力手段）。例えば、ユーザは、ユーザ端末２に属性情報を入力し、分析部１３は、入力された属性情報を取得する。属性情報とは、例えばユーザの年齢、性別、職業、国籍、住所といった一般的な個人情報のみならず、そのユーザに関する身体、精神、持病に関する情報として、肥満体形、痩せ型、妊娠中、ダイエット中、高血圧、糖尿病、虚弱体質、お酒に弱い、不整脈等を含むものである。またこの属性情報は、ユーザ情報を入力する時点における体調として、頭痛、胃腸の調子が良くない、欝状態、風邪気味等を含むものであってもよい。また、ユーザの属性情報として、例えばＤＮＡ鑑定結果が用いられてもよい。この場合、年齢、性別等の一般的な個人情報に比べて、精度の高い情報として用いることができ、よりユーザに適した摂取物を探索することが可能となる。
【００８９】
属性情報は、ユーザがユーザ端末２を用いて入力する他、例えば記憶部１４にデータベースとして予め記憶されてもよい。この場合、例えば分析部１３等は、ユーザ情報が送信されたユーザ端末２のアドレス等の情報に基づいて、記憶部１４のデータベースから属性情報を取得してもよい。
【００９０】
属性情報を取得した場合、例えば分析部１３は、属性情報を栄養素の理想値に反映させる。即ち、属性情報が「肥満体形」である場合、例えば図６の「脂質」の理想値が低めになるように改変する。これにより、実際に摂取した脂質が理想値よりも高めに乖離するケースが多くなり、脂質を摂取し過ぎによる診断結果として例えば「脂肪多い」が選ばれやすくなり、これと第２連関性の高いサプリメントが選ばれやすくなる。
【００９１】
更に図１１に示すように、類型化された診断結果及び属性情報と、補充すべきサプリメントの種類との第２連関性を取得するようにしてもよい。属性情報は、診断結果と互いに関係しあって、サプリメントと連関性が設定される場合が多い。診断結果が「脂肪多い」である場合には、脂肪を分解する上で最も威力を発揮し得るものがサプリメントＡであるとした場合、更に肥満体形であるユーザは、サプリメントＡが高い確率を以って選択されるようにするために、この「肥満体形」と「サプリメントＡ」との第２連関性が高くなるように設定されていることが好ましいといえる。同じく高血圧のユーザについては、高血圧に効き目のあるサプリメントが高い確率を持って選択されるように第２連関性が設定されている。これ以外に、あらゆる属性情報に応じて最適なサプリメントが選択される可能性が高くなるように第２連関性が設定されていてもよい。その結果、最適なサプリメントを選択することができる。
【００９２】
このように属性情報が含められていることで、ユーザの健康状態や体調、持病等を考慮しつつ、その飲食において摂取した栄養素との関係で最適なサプリメントを探索することが可能となる。
【００９３】
また本発明によれば、探索部１５が人工知能により制御される場合には、この第１連関性、第２連関性を学習により更新するようにしてもよい。上述したように、診断結果は、第１連関性に基づく教師あり学習により、またサプリメントは、第２連関性による教師あり学習に基づいて探索されるものである。例えば、サプリメント摂取者の評価が反映された評価データを抽出し、第１連関性及び第２連関性に反映させるようにしてもよい（評価データ抽出手段）。この評価データは、サプリメントにつき、各種官能基センサを介して検出されたデータや、体温、血圧、血液、体重、心電図等の身体の一時的又は長期的な検査データ等も含まれる。
【００９４】
ここでいう評価データは、実際に購入した食品又は注文した料理の飲食をし、更に本発明を適用した摂取物探索システム１００により通知されたサプリメントを摂取したユーザによる感想や口コミ等が反映されたデータである。この評価データは、摂取物探索システム１００により通知されたサプリメントを摂取したユーザが、「体調が良くなった」、「体重が低下した」、「夜ぐっすり眠れるようになった」、「朝の目覚めが爽快だった」、「肩こりが治った」という肯定的な評価もあれば、「体調が良くならない」、「体重が増加した」、「不眠症が治らない」、「吐き気がする」等の否定的な評価も含まれる。
【００９５】
また評価データが身体の一時的又は長期的な検査データである場合には、血液検査の結果、コレステロール値が所定の閾値以上の場合は否定的な評価とし、所定の閾値未満の場合は肯定的な評価とするようにしてもよい。また体重の増加分が所定の閾値以上の場合は否定的な評価とし、所定の閾値未満の場合は肯定的な評価とするようにしてもよい。
【００９６】
評価データは、例えば食品販売店や飲食店等が実施するアンケート調査や、インターネット上のサイトへの書き込み、Twitter（登録商標）、ＬＩＮＥ（登録商標）等の書き込み等から公衆通信網４を介して取得するようにしてもよい。アンケート調査に基づく評価データは、アンケート票に基づいて店員が店舗用端末６を介して入力されることとなり、公衆通信網４からの評価データは、通信Ｉ／Ｆ１９を介して記憶部１４に記憶される。
【００９７】
ちなみに、この評価データは、感想等を述べたユーザが購入した食品が少なくとも摂取物探索システム１００側において特定できることが前提となる。例えば、評価データとユーザ情報とを送信したユーザ端末２が同一の場合、送信されたユーザ端末２のアドレス等の情報により特定することができる。レストラン等におけるアンケート調査では、アンケート票にユーザの氏名又はテーブルナンバーを書いてもらえば、そのテーブルナンバーを介して容易に特定ができる。また公衆通信網４から評価データを取得する場合には、同じくテーブルナンバー、氏名、又はその飲食店が会員制である場合は会員番号等を介して特定することが可能となる。
【００９８】
探索部１５は、このような評価データを取得し、これを解析する。この解析は、一般的な周知のテキストマイニング技術に基づくものであってもよい。テキストマイニング技術を介して、肯定的な評価か、否定的な評価かを特定することとなる。
【００９９】
探索部１５は、評価データの発信元、生成元となるユーザ情報から、記憶部１４に記憶されているユーザ情報を参照することで、ユーザが摂取した栄養素を特定するとともに、上述した探索を通じて、第１連関性、第２連関性の何れの連関度を介して、いかなるサプリメントが探索されたかを特定する。また、その特定した評価データが肯定的か、否定的かを判別する。
【０１００】
仮にこの特定した評価データが肯定的であれば、探索部１５により探索してユーザに通知したサプリメントがユーザにとって適切であったことが分かる。係る場合に、探索部１５は、この第１連関性、第２連関性の連関度につき、特に何もしないか、或いは実際にそのサプリメントを提案するに当たり、当該サプリメントに帰結する矢印で結ばれる連関度を高くするように更新する。図７、８の例でいえば、診断結果が「糖尿病の恐れが高い」であり、選択したサプリメントがサプリメントＥであった結果、実際にサプリメントＥを摂取した顧客から肯定的な評価データを得た場合は、第２連関性において、このサプリメントＥと「糖尿病の恐れが高い」との連関度をより高くし、また第１連関性において「糖尿病の恐れが高い」に繋がる栄養素の連関度を高くするように更新を行う。
【０１０１】
仮にこの特定した評価データが否定的であれば、探索部１５により探索してユーザに通知したサプリメントがユーザにとって不適切であったことが分かる。係る場合に、探索部１５は、この第１連関性、第２連関性の連関度につき、実際にそのサプリメントを提案するに当たり、当該サプリメントに帰結する矢印で結ばれる連関度を低くするように更新する。図７、８の例でいえば、診断結果が「野菜不足」であり、選択したサプリメントがサプリメントＢであった結果、実際にサプリメントＢを摂取したユーザから否定的な評価データを得た場合は、第２連関性において、このサプリメントＢと「野菜不足」との連関度をより低くし、また第１連関性において「野菜不足」に繋がる栄養素の連関度を低くするように更新を行う。
【０１０２】
人工知能による制御される探索部１５は、このようにして評価データに基づいて第１連関性、第２連関性を更新することで学習を行う。このような学習を繰り返し行うことにより、第１連関性、第２連関性が、よりユーザにとって適切なサプリメントが選ばれるように適正化させることが可能となる。
【０１０３】
なお、上述した実施の形態においては、評価データが肯定的か、否定的かの２段階によってランク付けされ、これに応じて第１連関性、第２連関性の連関度を変化させる場合を例にとり説明をしたが、これに限定されるものではない。例えば、この評価データが３段階以上にランク付けされ、その３段階以上のランクに応じて第１連関性、第２連関性を変化させるようにしてもよい。
【０１０４】
上述の実施の形態においては、選択するサプリメントが何れも複数の成分を含むいわゆる混合型サプリメントとする場合を例にとり説明をしたが、これに限定されるものではない。図１２に示すように単一の成分からなるサプリメントを選択するようにしてもよい。係る場合においても同様に単一成分からなるサプリメントとして例えば、ビタミンＣ、コラーゲン、カルニチン、ミネラル、コエンザイム等があるものとし、これらと診断結果についての第２連関性を予め取得しておく。そして、実際にユーザが摂取した飲食物の栄養素から特定された診断結果から、この第２連関性に基づき、単一成分からなるサプリメントを選択することとなる。そして、評価データに基づき、この第２連関性が更新されていくこととなる。
【０１０５】
また、図示はされていないが、診断結果が「食欲を減らし、カロリーの過剰摂取を抑える」であれば、第２連関性において、テアニン、ギャバ、マテエキス等が連関度が高いものとされている。また診断結果が「腸における糖の吸収を阻害する」であれば、第２連関性においてギムネマ、サラシア等が連関度が高いものとされている。診断結果が「腸における脂肪の吸収を阻害する」であれば、第２連関性において「キトサン、サポニン」が連関度が高いものとされている。診断結果が「脂肪排泄を促進する」であれば、第２連関性において「レシチン」が連関度が高いものとされている。
【０１０６】
同様に図１３に示すように、診断結果を探索することなく、乖離傾向から直接サプリメントを探索する場合においても、単一の成分からなるサプリメントを選択するようにしてもよいことは勿論である。
【０１０７】
また上述のサプリメントバーや摂取物供給装置５を通じてユーザにサプリメントを提供する際においても同様にこの選択された単一成分からなるサプリメントを提供するようにしてもよい。
【０１０８】
また、上述した実施の形態では、サプリメントの探索を、中央制御端末１が行う場合を例にとり説明をしたが、これに限定されるものではない。このような中央制御端末１と同様の構成要素からなるユーザ端末２において、サプリメントの探索を行うようにしてもよい。またこの中央制御端末１で行うサプリメントの探索は、その他公衆通信網４に連結する何れの電子機器を介して行われるものであってもよいし、クラウド側においてこれらの処理を全て行うようにしてもよい。また、実施形態の摂取物探索システム１００の一部又は全ての構成は、例えばユーザ端末２にダウンロード可能なアプリケーションに集約されてもよい。
【０１０９】
また、ユーザ情報やサプリメント情報、診断結果、乖離傾向、栄養素の集計値、栄養素の理想値、第１連関性、第２連関性等の記憶も記憶部１４にて行う場合に限定されるものではなく、サーバ３に記憶させるようにしてもよい。そして、このサーバ３に記憶されている第１連関性、第２連関性を、公衆通信網４を介して接続されている他の中央制御端末１におけるサプリメント探索に利用するようにしてもよい。
【０１１０】
更に本発明によれば、レストラン等の飲食店において、テイクアウトの場合も同様に適用することができる。係る場合には、注文情報の入力により、上述した探索を通じて最適なサプリメントを即座に選択することができ、上述と同様の方法でユーザにそれを通知することができる。ユーザは、係る情報に基づいて店内のサプリメントバーでサプリを購入するようにしてもよい。
【０１１１】
本発明によれば、デリバリーや出前型の飲食物の提供も同様に適用することができる。係る場合においても、注文を受けたときに店舗用端末６を介してユーザ情報が入力され、実際の飲食物の配達時において、探索されたサプリメント情報をユーザ端末２に報知する他、領収書や、納品書等に添付するようにしてもよいし、そのサプリメントも一緒に配達するようにしてもよい。
【０１１２】
またデリバリー型の飲食物の提供において、ユーザ端末２等から公衆通信網４を介して直接的に飲食物がオーダーされた場合には、これを中央制御端末１が受信し、上述のアルゴリズムに基づいてサプリメントを探索するようにしてもよい。この場合においても、探索されたサプリメント情報をユーザ端末２に報知する他、領収書や、納品書等に添付するようにしてもよいし、そのサプリメントも一緒に配達するようにしてもよい。
【０１１３】
また、本発明では、注文情報やサプリメント情報を記憶部１４やサーバ３に記憶させておき、週単位、月単位等の期間単位での管理データをユーザ毎に管理するようにしてもよい。上述した例では一回の飲食単位で、最適なサプリメントを選択したが、週単位、月単位等の期間単位で最適なサプリメントを選択することも可能となる。
【０１１４】
また、本発明によれば、レストラン等の飲食店の注文方法がセルフオーダー端末が設置され、ユーザがこのセルフオーダー端末に直接オーダーを入力する場合において、追加オーダー毎に過不足の栄養素、並びにそれに対して摂取すべきサプリメントを表示するようにしてもよい。また、このセルフオーダー端末に表示されている過不足の栄養素やサプリメント情報をユーザ端末２等に転送するようにしてもよい。
【０１１５】
また、複数のユーザが同一のテーブルで飲食する場合は、その注文情報もテーブル単位で管理されることとなるが、ユーザ毎に摂取した栄養素、過不足の栄養素、摂取すべきサプリメントを表示するようにしてもよい。また注文情報を構成するオーダー毎に摂取した栄養素、過不足の栄養素、摂取すべきサプリメントを表示するようにしてもよい。
【０１１６】
更に本発明によれば、ユーザ情報を入力する前に摂取した飲食物の情報を、ユーザ端末２等に入力し、中央制御端末１に送信してもよい。このような情報を受信した中央制御端末１は、ユーザが摂取した栄養素を集計する際において、例えば事前に摂取した朝食等の飲食物の栄養素のデータも加えるようにしてもよい。この事前に摂取した飲食物の栄養素データは、その飲食物の名称を取得することで、これに見合う栄養素のデータを中央制御端末１内の記憶部１４に記憶されている中から読み出すようにしてもよいし、公衆通信網４を介して取得するようにしてもよい。
【０１１７】
次に、摂取物がサプリメントの他、食料品、飲料を含む場合について説明する。摂取物探索システム１００は、摂取物として食料品、飲料を含む場合においても、上述したサプリメントと同様に探索することができ、探索部１５により探索された摂取物の種類、量に関する各種情報を、以下、摂取物情報という。
【０１１８】
摂取物情報を報知する一例として、例えば図１４（ａ）に示すように、ユーザ情報を入力したユーザ端末２に、ユーザが摂取すべき食料品や飲料を表示する。この場合、ユーザ情報として入力された「からあげ弁当」に基づき、「サラダとお茶を購入しましょう」と表示される。また、例えば「からあげ弁当はビタミンＢ１が不足しています。」等の乖離傾向を表示してもよい。このため、食品を購入する前に、購入予定の食品に足りない食料品や飲料を確認することができる。これにより、食品の購入を一度に済ませることができ、購入手続きの短縮を図ることができる。また、店舗側としては、ユーザ毎の購入単価が上がり、売り上げの向上につなげることができる。
【０１１９】
また、例えば図１４（ｂ）に示すように、レストラン等の飲食店においても、注文をする前に、注文予定の料理に足りない料理や飲料を確認することができる。これにより、料理の注文を一度に済ませることができ、注文時間の短縮を図ることができる。また、店舗側としては、ユーザ毎の購入単価が上がり、売り上げの向上につなげることができる。
【０１２０】
更に本発明によれば、上述した報知手段として、乖離傾向に基づき、食生活の改善に関する情報を報知してもよい。食材の情報として、例えばユーザの食生活において積極的に摂取すべき食品、控えるべき食品等が報知される。このとき、栄養素の過不足を補える食品が積極的に摂取すべき食品として選ばれ、栄養素の過不足の原因となる食品が控えるべき食品として選ばれる。
【０１２１】
例えば、摂取物探索システム１００で得られた摂取物情報、乖離傾向、栄養素の集計値、及び栄養素の理想値の少なくとも何れかを用いて、栄養士等がユーザに食生活の改善に関するアドバイスや相談等を行ってもよい。このとき、摂取物探索システム１００を用いることで、アドバイスや相談等に必要なデータを容易に収集することができる。
【０１２２】
また、栄養士等の代わりに、人工知能を用いて、食生活の改善に関するアドバイスや相談等を行ってもよい。この場合、ユーザは、例えばユーザ端末２を用いて、摂取物探索システム１００との音声又は文字による会話形式により、食生活に関するアドバイスや相談等を行うことができる。このため、時間や場所を気にせずに、食生活の改善を図ることができる。
【０１２３】
このように、本発明を適用した摂取物探索システム１００は、探索される摂取物として食料品、飲料を含む場合においても、ユーザに過不足となる栄養素に基づき、健康状態を向上させる上で摂取すべき最適な摂取物を探索することができる。  即ち、食事毎に過不足となる栄養素について食料品、飲料を用いて容易に補充することができる。その結果、ユーザは理想値に近い栄養素を効率良く摂取することができる。
【０１２４】
次に、摂取物が医薬品を含む場合について説明する。摂取物探索システム１００は、摂取物として医薬品を含む場合においても、上述したサプリメント等と同様に探索することができ、探索部１５により探索された医薬品の種類、量に関する各種情報を、以下、医薬品情報という。
【０１２５】
例えば、摂取物探索システム１００で得られた医薬品情報、乖離傾向、栄養素の集計値、及び栄養素の理想値の少なくとも何れかを用いて、医師や薬剤師等がユーザに健康維持に関するアドバイスや相談等（健康指導）を行ってもよい。このとき、摂取物探索システム１００を用いることで、アドバイスや相談等に必要なデータを容易に収集することができる。また、ユーザが医薬品を受け取る前に、医師等が医薬品情報等を確認できるようにして、承諾を得られた場合のみ、医薬品を取得できるようにしてもよい。これにより、医師等と直接面談をする必要が無いため、病院への通院が難しいユーザに対しても容易に医薬品を取得することができる。
【０１２６】
また、医師や薬剤師等の代わりに、人工知能を用いて、健康維持に関するアドバイスや相談等を行ってもよい。この場合、ユーザは、例えばユーザ端末２を用いて、摂取物探索システム１００との音声又は文字による会話形式により、健康維持に関するアドバイスや相談等を行うことができる。このため、時間や場所を気にせずに、健康維持の向上を図ることができる。
【０１２７】
このように、本発明を適用した摂取物探索システム１００は、探索される摂取物として医薬品を含む場合においても、ユーザに過不足となる栄養素に基づき、健康状態を向上させる上で摂取すべき最適な摂取物を探索することができる。  即ち、食事毎に過不足となる栄養素について医薬品を用いて容易に補充することができる。その結果、ユーザは理想値に近い栄養素を効率良く摂取することができる。
【０１２８】
次に、ユーザ情報が食品情報の他、健康情報を含む場合について説明する。摂取物探索システム１００は、ユーザ情報として健康情報を含む場合においても、上述した摂取物を探索することができる。
【０１２９】
健康情報は、ユーザの生体情報（例えば体温、脈拍、血圧等）、睡眠時間、運動情報、食事回数等の情報を含む。運動情報は、例えばランニング、スクワット等の運動の種類と、各運動の種類を実施した回数又は時間とを含む。
【０１３０】
健康情報は、ユーザ端末２に直接入力する他、例えば図１５（ａ）に示すように、ユーザが身に着けられ、生体情報を定期的に自動でモニタリングできる構成のユーザ端末２（例えばウェアラブル端末）により取得してもよい。この場合、ユーザ端末２は、例えばユーザ情報を定期的に中央制御端末１に送信してもよい。
【０１３１】
運動情報は、例えばユーザが利用するスポーツジム等から取得してもよい。この場合、スポーツジムの店員が、店舗用端末６に運動情報を入力してもよく、例えば図１５（ｂ）に示すように、ユーザが行った運動情報について記載されたレポート等を店員から受け取り、その情報をユーザ端末２に入力又は撮影してもよい。また、運動情報として、例えばトレーニングマシンを撮影した画像が用いられてもよい。
【０１３２】
運動情報は、スポーツジムの他、例えばマッサージ店等でも得ることができる。この場合、マッサージ店のメニューをユーザ端末２で撮影又は入力することで、運動情報として取得することができる。
【０１３３】
本発明によれば、健康情報をユーザ情報に含ませることで、精度の高い乖離情報を得ることができる。これにより、摂取物探索システム１００は、ユーザに対してより最適な摂取物を探索することができる。
【０１３４】
例えば、摂取物探索システム１００で得られた摂取物情報、乖離傾向、栄養素の集計値、及び栄養素の理想値の少なくとも何れかを用いて、スポーツジムのトレーナや医師等がユーザに健康維持に関するアドバイスや相談等を行ってもよい。このとき、摂取物探索システム１００を用いることで、アドバイスや相談等に必要なデータを容易に収集することができる。また、ユーザ端末２が生体情報を定期的に自動でモニタリングすることで、摂取物を摂取した前後における生体情報の変化等の時間軸を踏まえたデータを取得することができるため、詳細な健康維持に関するアドバイスや相談等を行うことができる。
【０１３５】
また、トレーナや医師等の代わりに、人工知能を用いて、健康維持に関するアドバイスや相談等を行ってもよい。この場合、ユーザは、例えばユーザ端末２を用いて、摂取物探索システム１００との音声又は文字による会話形式により、健康維持に関するアドバイスや相談等を行うことができる。このため、時間や場所を気にせずに、健康維持の向上を図ることができる。
【０１３６】
摂取物探索システム１００は、例えば図１６に示すように、運動量を入力することで、運動して消費した栄養素も表示できる。このため、栄養素を基準とした運動量の目標を設定することができる。これにより、効率的な運動メニューの設定をすることができる。なお、摂取物探索システム１００は、人工知能を用いて、健康情報に対する栄養素の集計値や、乖離傾向の情報に基づき、ユーザに最適な運動メニューを設定してもよい。このため、形式化された運動メニューを実施する場合に比べて、ユーザに過不足となる栄養素に基づいた効率的な運動メニューを提供することができる。また、形式化された運動メニューを実施する場合に比べて、ユーザを飽きさせない運動メニューを提供することができる。
【０１３７】
このように、本発明を適用した摂取物探索システム１００は、ユーザ情報として健康情報を含む場合においても、ユーザに過不足となる栄養素に基づき、健康状態を向上させる上で摂取すべき最適な摂取物を探索することができる。  即ち、運動の実施毎に過不足となる栄養素について摂取物を用いて容易に補充することができる。その結果、ユーザは理想値に近い栄養素を効率良く摂取することができる。なお、運動を実施しない場合においても、ユーザ情報として生体情報等を含むため、ユーザに過不足となる栄養素に基づき、健康状態を向上させる上で摂取すべき最適な摂取物を探索することができる。その結果、ユーザは理想値に近い栄養素を効率良く摂取することができる。
【０１３８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１３９】
１  中央制御端末
２  ユーザ端末
３  サーバ
４  公衆通信網
５  摂取物供給装置
６  店舗用端末
１１  制御部
１２  集計部
１３  分析部
１４  記憶部
１５  探索部
１６  表示部
１７  操作部
１８  内部バス
１９  通信Ｉ／Ｆ
１１９  伝票
１２０  サプリメントバー
１２１  サプリメント
【図１】
2018067177.tif 000003
【図２】
2018067177.tif 000004
【図３】
2018067177.tif 000005
【図４】
2018067177.tif 000006
【図５】
2018067177.tif 000007
【図６】
2018067177.tif 000008
【図７】
2018067177.tif 000009
【図８】
2018067177.tif 000010
【図９】
2018067177.tif 000011
【図１０】
2018067177.tif 000012
【図１１】
2018067177.tif 000013
【図１２】
2018067177.tif 000014
【図１３】
2018067177.tif 000015
【図１４】
2018067177.tif 000016
【図１５】
2018067177.tif 000017
【図１６】
2018067177.tif 000018
【手続補正書】
【提出日】平成29年1月6日(2017.1.6)
【手続補正１】
【補正対象書類名】特許請求の範囲
【補正対象項目名】全文
【補正方法】変更
【補正の内容】
【特許請求の範囲】
【請求項１】
入力されたユーザ情報に対応する栄養素の量を集計する集計手段と、
上記栄養素の理想値を取得する理想値取得手段と、
上記集計手段により集計された上記栄養素の集計値と、上記理想値取得手段により取得された上記栄養素の理想値との乖離傾向を分析する分析手段と、
上記乖離傾向と予め類型化された診断結果との３段階以上の連関度を有する第１連関性、並びに上記類型化された診断結果と補充すべき摂取物の種類との３段階以上の連関度を有する第２連関性が記憶されている連関摂取物データベースと、
上記連関摂取物データベースに記憶されている第１連関性を参照し、上記乖離傾向と連関性の高い１以上の診断結果を探索すると共に、上記連関摂取物データベースに記憶されている第２連関性を参照し、その探索した１以上の診断結果と連関性の高い１以上の摂取物を探索する探索手段と、
上記摂取物の評価結果が反映された評価データを抽出する評価データ抽出手段と、
を備え、
上記探索手段は、人工知能により制御され、
上記探索手段を制御する人工知能は、上記評価データ抽出手段により抽出された評価データを上記各連関性に反映させること
を特徴とする摂取物探索システム。
【請求項２】
上記分析手段により分析された上記乖離傾向を、ユーザが所有するユーザ端末に報知する報知手段を更に備えること
を特徴とする請求項１記載の摂取物探索システム。
【請求項３】
上記報知手段は、上記乖離傾向に基づき、食生活の改善に関する情報を報知すること
を特徴とする請求項２記載の摂取物探索システム。
【手続補正３】
【補正対象書類名】明細書
【補正対象項目名】０００１
【補正方法】変更
【補正の内容】
【０００１】
本発明は、ユーザに過不足となる栄養素に基づいて最適な摂取物を通知する上で好適な摂取物探索システムに関する。
【手続補正４】
【補正対象書類名】明細書
【補正対象項目名】０００８
【補正方法】変更
【補正の内容】
【０００８】
そこで本発明は、上述した問題点に鑑みて案出されたものであり、その目的とするところは、ユーザに過不足となる栄養素に基づき、健康状態を向上させる上で摂取すべき最適な摂取物を探索することが可能な摂取物探索システムを提供することにある。
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】変更
【補正の内容】
【００１０】
第１発明に係る摂取物探索システムは、入力されたユーザ情報に対応する栄養素の量を集計する集計手段と、上記栄養素の理想値を取得する理想値取得手段と、上記集計手段により集計された上記栄養素の集計値と、上記理想値取得手段により取得された上記栄養素の理想値との乖離傾向を分析する分析手段と、上記乖離傾向と予め類型化された診断結果との３段階以上の連関度を有する第１連関性、並びに上記類型化された診断結果と補充すべき摂取物の種類との３段階以上の連関度を有する第２連関性が記憶されている連関摂取物データベースと、上記連関摂取物データベースに記憶されている第１連関性を参照し、上記乖離傾向と連関性の高い１以上の診断結果を探索すると共に、上記連関摂取物データベースに記憶されている第２連関性を参照し、その探索した１以上の診断結果と連関性の高い１以上の摂取物を探索する探索手段と、上記摂取物の評価結果が反映された評価データを抽出する評価データ抽出手段と、を備え、上記探索手段は、人工知能により制御され、上記探索手段を制御する人工知能は、上記評価データ抽出手段により抽出された評価データを上記各連関性に反映させることを特徴とする。
【手続補正７】
【補正対象書類名】明細書
【補正対象項目名】００１１
【補正方法】変更
【補正の内容】
【００１１】
第２発明に係る摂取物探索システムは、第１発明において、上記分析手段により分析された上記乖離傾向を、ユーザが所有するユーザ端末に報知する報知手段を更に備えることを特徴とする。
【手続補正８】
【補正対象書類名】明細書
【補正対象項目名】００１２
【補正方法】変更
【補正の内容】
【００１２】
第３発明に係る摂取物探索システムは、第２発明において、上記報知手段は、上記乖離傾向に基づき、食生活の改善に関する情報を報知することを特徴とする。
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】